(57)【要約】無線通信区間の輻輳の制御が可能な無線通信システムを提供するために、本実施形態の無線通信システムは、無線通信端末と、無線通信端末と無線通信を行う無線基地局とを有する。無線基地局は、無線基地局の空き無線リソースに関する情報である空き無線リソース情報を前記無線通信端末へ送信する送信手段を有する。無線通信端末は、空き無線リソース情報を無線基地局から受信する受信手段と、無線通信端末のアプリケーション実行時の無線通信に必要となる無線リソースに関する情報である必要無線リソース情報を保持する保持手段と、アプリケーションを実行する際に、空き無線リソース情報と必要無線リソース情報とに基づいて、アプリケーション実行時の無線通信を開始するか否かを判定する制御手段を有する。
2015045304.tif 000002
【特許請求の範囲】
【請求項１】
無線通信端末と、前記無線通信端末と無線通信を行う無線基地局とを有する無線通信システムであって、
前記無線基地局は、
前記無線基地局の空き無線リソースに関する情報である空き無線リソース情報を前記無線通信端末へ送信する送信手段を有し、
前記無線通信端末は、
前記空き無線リソース情報を前記無線基地局から受信する受信手段と、
前記無線通信端末のアプリケーション実行時の無線通信に必要となる無線リソースに関する情報である必要無線リソース情報を保持する保持手段と、
前記アプリケーションを実行する際に、前記空き無線リソース情報と前記必要無線リソース情報とに基づいて、前記アプリケーション実行時の無線通信を開始するか否かを判定する制御手段とを有する、
無線通信システム。
【請求項２】
前記送信手段は、前記空き無線リソース情報を前記無線基地局配下の前記無線通信端末に報知する、
請求項１記載の無線通信システム。
【請求項３】
前記保持手段は、前記アプリケーションによる過去の無線通信で使用した無線リソースに関する情報に基づいて前記必要無線リソース情報を決定して保持する、
請求項１又は２のいずれかに記載の無線通信システム。
【請求項４】
前記制御手段は、前記アプリケーション実行時の無線通信を開始しないと判定した場合に、所定の時間経過後に前記アプリケーション実行時の無線通信を開始するか否かを再度判定する、
請求項１から３のいずれか一項に記載の無線通信システム。
【請求項５】
前記制御手段は、前記アプリケーション実行時の無線通信を開始しないと判定した場合に、前記受信手段による前記空き無線リソース情報の受信後に前記アプリケーション実行時の無線通信を開始するか否かを再度判定する、
請求項１から３のいずれか一項に記載の無線通信システム。
【請求項６】
前記無線通信システムは、ネットワークを介してアプリケーションサーバと接続され、  前記保持手段は、前記アプリケーションサーバから送信される前記必要無線リソース情報を保持する、
請求項１から３のいずれか一項に記載の無線通信システム。
【請求項７】
無線基地局と無線通信を行う無線通信端末であって、
前記無線基地局の空き無線リソースに関する情報である空き無線リソース情報を前記無線基地局から受信する受信手段と、
前記無線通信端末のアプリケーション実行時の無線通信に必要となる無線リソースに関する情報である必要無線リソース情報を保持する保持手段と、
前記アプリケーションを実行する際に、前記空き無線リソース情報と前記必要無線リソース情報とに基づいて、前記アプリケーション実行時の無線通信を開始するか否かを判定する制御手段とを有する、
無線通信端末。
【請求項８】
無線通信端末と、前記無線通信端末と無線通信を行う無線基地局とを有する無線通信システムの制御方法であって、
前記無線基地局の空き無線リソースに関する情報である空き無線リソース情報を受信し、
前記無線通信端末のアプリケーション実行時の無線通信に必要となる無線リソースに関する情報である必要無線リソース情報を保持し、
前記アプリケーションを実行する際に、前記空き無線リソース情報と前記必要無線リソース情報とに基づいて、前記アプリケーション実行時の無線通信を開始するか否かを判定する、
無線通信システムの制御方法。
【請求項９】
無線通信端末と、前記無線通信端末と無線通信を行う無線基地局とを有する無線通信システムにおける制御方法をコンピュータに実行させるためのプログラムを記憶する記憶媒体であって、
前記無線基地局の空き無線リソースに関する情報である空き無線リソース情報を受信するプロセスと、
前記無線通信端末のアプリケーション実行時の無線通信に必要となる無線リソースに関する情報である必要無線リソース情報を保持するプロセスと、
前記アプリケーションを実行する際に、前記空き無線リソース情報と前記必要無線リソース情報とに基づいて、前記アプリケーション実行時の無線通信を開始するか否かを判定するプロセスと
をコンピュータに実行させるためのプログラムを記憶する記憶媒体。
【発明の詳細な説明】
【技術分野】
【０００１】
本明細書の開示は、無線通信システム、無線通信端末、無線通信システムの制御方法、及び、記憶媒体に関する。
【背景技術】
【０００２】
近年の移動体通信システムの発達、特に通信の伝送速度向上やデータの大容量化に伴い、該システムを利用したモバイルマルチメディアサービスが増加傾向にある。しかし、該サービスによる通信量が該システムの許容通信量を超過した場合、該システムにおけるネットワーク内でしばしば輻輳が生じる。このことは、無線通信端末と無線基地局との間の無線通信区間にも同様のことが言える。【０００３】
このような無線通信区間での輻輳を抑制するべく、関連する移動体通信システムは、輻輳制御技術を採用している。このうち、特許文献１では、ランダムアクセス試行回数や、無線チャネルの割当状況に基づく輻輳情報を用いて、無線端末の自律的な輻輳制御を行う無線通信システム及び無線端末が開示されている。【０００４】
ところで、モバイルマルチメディアサービスについては、近年の移動体通信システムにおけるＩＰ（Ｉｎｔｅｒｎｅｔ  Ｐｒｏｔｏｃｏｌ）型への標準化に伴って、ＯＴＴ（Ｏｖｅｒ  Ｔｈｅ  Ｔｏｐ）を提供する事業者が台頭してきている。【０００５】
ＯＴＴとは、コンテンツ自体の管理や配信に通信事業者が関与せず、既存のブロードバンドネットワーク上で提供される動画や音声等のサービスの総称を指す。そして、このＯＴＴは、移動体通信システムの場合、しばしばアプリケーションにて無線通信端末に提供される。【０００６】
ここで、一般的に、動画や音声等のサービスが特にリアルタイム通信を要する場合は、一定の通信速度を保証することが望ましい。しかし、移動体通信システムにおいて、コアネットワークや無線基地局を提供する通信事業者は、該アプリケーションが特にリアルタイム通信を要する場合であっても、該アプリケーションの管理や配信に関与しないため、単なるインターネット接続サービスとしか判断できない。【０００７】
そして、通信事業者は、単なるインターネット接続サービスについて、通信速度を保証しないベストエフォート型通信でサービスの提供を行う。よって、ベストエフォート型通信においては、該リアルタイム通信に必要なリソースが通信ネットワーク上の空きリソースを超過した場合、該ネットワーク上のリソースが不足するため、輻輳が生じる。【０００８】
無線通信端末と無線基地局との間の無線通信区間においても、該リアルタイム通信に必要な無線リソースが無線基地局の空き無線リソースを超過している場合、該通信を実行すると、無線リソースが不足するため、無線通信区間に輻輳が生じる。
【先行技術文献】
【特許文献】
【０００９】
【特許文献１】特開２００９−１４７５９２号公報
【発明の概要】
【発明が解決しようとする課題】
【００１０】
このような問題に対しては、無線通信端末による自律的な制御が有効である。無線通信端末がアプリケーションを実行するため、無線通信端末は、該アプリケーションを実行する際にリアルタイム通信を要するか否かを把握し易いからである。【００１１】
しかしながら、特許文献１における無線端末は、無線基地局の空き無線リソース及びアプリケーション実行時の無線通信に必要な無線リソースまで考慮して制御を行っていない。【００１２】
よって、特許文献１における無線端末では、該アプリケーション実行時の無線通信に必要な無線リソースが無線基地局の空き無線リソースを超過している状況であっても、無線基地局へ接続し、所望の無線通信に必要な無線リソースを要求してしまう。その結果、無線基地局の無線リソースが不足し、当該無線通信区間に輻輳が生じる。【００１３】
そこで、例示的な実施形態の目的の１つは、無線通信区間の輻輳の制御が可能な無線通信システムを提供するである。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１４】
例示的な実施形態における無線通信システムは、無線通信端末と、前記無線通信端末と無線通信を行う無線基地局とを有する。前記無線基地局は、前記無線基地局の空き無線リソースに関する情報である空き無線リソース情報を前記無線通信端末へ送信する送信手段を有し、前記無線通信端末は、前記空き無線リソース情報を前記無線基地局から受信する受信手段と、前記無線通信端末のアプリケーション実行時の無線通信に必要となる無線リソースに関する情報である必要無線リソース情報を保持する保持手段と、前記アプリケーションを実行する際に、前記空き無線リソース情報と前記必要無線リソース情報とに基づいて、前記アプリケーション実行時の無線通信を開始するか否かを判定する制御手段を有する。【００１５】
また、例示的な実施形態における無線通信端末は、無線基地局と無線通信を行い、前記無線基地局の空き無線リソースに関する情報である空き無線リソース情報を前記無線基地局から受信する受信手段と、前記無線通信端末のアプリケーション実行時の無線通信に必要となる無線リソースに関する情報である必要無線リソース情報を保持する保持手段と、前記アプリケーションを実行する際に、前記空き無線リソース情報と前記必要無線リソース情報とに基づいて、前記アプリケーション実行時の無線通信を開始するか否かを判定する制御手段を有する。【００１６】
また、例示的な実施形態における無線通信システムの制御方法は、無線通信端末と、前記無線通信端末と無線通信を行う無線基地局とを有する無線通信システムにおいて、前記無線基地局の空き無線リソースに関する情報である空き無線リソース情報を受信する受信ステップと、前記無線通信端末のアプリケーション実行時の無線通信に必要となる無線リソースに関する情報である必要無線リソース情報を保持する保持ステップと、前記アプリケーションを実行する際に、前記空き無線リソース情報と前記必要無線リソース情報とに基づいて、前記アプリケーション実行時の無線通信を開始するか否かを判定する制御ステップを有する。【００１７】
また、例示的な実施形態における記憶媒体は、無線通信端末と、前記無線通信端末と無線通信を行う無線基地局とを有する無線通信システムにおける制御方法をコンピュータに実行させるためのプログラムを記憶する。記憶媒体は、前記無線基地局の空き無線リソースに関する情報である空き無線リソース情報を受信する受信ステップと、前記無線通信端末のアプリケーション実行時の無線通信に必要となる無線リソースに関する情報である必要無線リソース情報を保持する保持ステップと、前記アプリケーションを実行する際に、前記空き無線リソース情報と前記必要無線リソース情報とに基づいて、前記アプリケーション実行時の無線通信を開始するか否かを判定する制御ステップとをコンピュータに実行させるプログラムを記憶する。
【発明の効果】
【００１８】
本発明の例示的な実施形態によれば、無線通信区間の輻輳の制御が可能な無線通信システムを提供することができる。
【図面の簡単な説明】
【００１９】
【図１】第１の例示的な実施形態による構成を示した図である。
【図２】第１の例示的な実施形態による動作を示したシーケンスチャートである。
【図３】第２の例示的な実施形態による動作を示したシーケンスチャートである。
【図４】第３の例示的な実施形態による構成を示した図である。
【図５】第３の例示的な実施形態による動作を示したシーケンスチャートである。
【図６】第４の例示的な実施形態による構成を示した図である。
【図７】第４の例示的な実施形態による動作を示したシーケンスチャートである。
【発明を実施するための形態】
【００２０】
以下では、具体的な実施形態について、図面を参照しながら詳細に説明する。各図面において、同一又は対応する要素には同一の符号が付されており、説明の明確化のため、必要に応じて重複説明は省略される。
以下に説明される複数の実施形態は、独立に実施されることもできるし、適宜組み合わせて実施されることもできる。これら複数の実施形態は、互いに異なる新規な特徴を有している。したがって、これら複数の実施形態は、互いに異なる目的又は課題を解決することに寄与し、互いに異なる効果を奏することに寄与する。
【００２１】
（第１の例示的な実施形態）
図１は、第１の例示的な実施形態による無線通信システムの構成の一例を示した図である。同図において無線通信システムは無線基地局１０と無線通信端末２０を有しており、無線基地局１０は、無線通信端末２０と無線通信をすることが可能である。また、無線基地局１０はコアネットワーク（不図示）と通信可能に接続されている。
【００２２】
無線基地局１０は、送信手段としての送信部１１を有する。また、無線通信端末２０は、受信手段としての受信部２１、保持手段としての必要無線リソース情報保持部２２、制御手段としての制御部２３を有する。
【００２３】
なお、図１は、無線基地局１０及び無線通信端末２０に含まれる機能ブロックのうち、特に本実施形態に関連する構成要素を示している。すなわち、無線基地局１０は、無線基地局１０を無線基地局として機能させるための機能ブロック（不図示）を含んでいる。同様に、無線通信端末２０は、無線通信端末２０を無線通信端末として機能させるための機能ブロック（不図示）を含んでいる。
【００２４】
無線基地局１０の送信部１１は、無線基地局１０の空き無線リソースに関する情報である空き無線リソース情報を無線通信端末２０へ送信する。受信部２１は、送信部１１から送信された空き無線リソース情報を受信する。必要無線リソース情報保持部２２は、無線通信端末２０のアプリケーション実行時の無線通信に必要となる無線リソースに関する情報である必要無線リソース情報を保持する。制御部２３は、アプリケーションを実行する際に、空き無線リソース情報と必要無線リソース情報とに基づいて、アプリケーション実行時の無線通信を開始するか否かを判定する。
【００２５】
ここで、本実施形態においてアプリケーションとは、例えば、ウェブブラウジングや、音声・画像・動画のダウンロード又はストリーミング再生、ＶｏＩＰ（Ｖｏｉｃｅ  ｏｖｅｒ  ＩＰ）を利用した音声通信サービス、オンラインゲームを含む。
【００２６】
また、空き無線リソース情報は、より具体的には無線基地局と無線通信端末との間の無線通信区間の無線リソースであって、ある時点における、無線基地局が割り当てていない無線リソース、に関する情報である。
【００２７】
一方、必要無線リソース情報は、より具体的にはアプリケーション実行に用いる所望のデータ通信の通信速度を確保するために必要とする無線リソースに関する情報である。
【００２８】
さらに、無線リソースとは、無線通信システムがＬＴＥ（Ｌｏｎｇ  Ｔｅｒｍ  Ｅｖｏｌｕｔｉｏｎ）方式の場合、周波数方向における無線リソースの割り当ての最小単位であるリソースブロックや、時間方向における無線リソースの割り当ての最小単位であるサブフレーム、または、リソースブロックを構成する要素であり個別に変調される基本単位となるリソースエレメント、などである。
【００２９】
つまり、無線リソースに関する情報とは、例えば、無線リソースがリソースブロックであれば、リソースブロックの数や周波数方向における位置などである。
【００３０】
図２は、第１の例示的な実施形態による無線通信システムの動作の一例を示したシーケンスチャートである。以下、図２を参照しながら、無線基地局１０、及び無線通信端末２０の動作を説明する。
【００３１】
無線通信端末２０の必要無線リソース情報保持部２２は、アプリケーション実行時の無線通信に必要となる無線リソースに関する情報である必要無線リソース情報を保持する（ステップＳ１０１）。
【００３２】
ここで、必要無線リソース情報保持部２２は、アプリケーションによる過去の無線通信で使用した無線リソースに関する情報に基づいて必要無線リソース情報を決定して保持してもよい。
【００３３】
より具体的には、必要無線リソース情報保持部２２は、アプリケーションインストール時に、初期値として、アプリケーション実行時の無線通信に必要な無線リソースに関する情報である必要無線リソース情報ｉ０を保持する。そして、制御部２３は、インストール後ｎ回目（ｎ＞０，ｎは整数）のアプリケーション実行の際に、必要無線リソース情報ｉｎ−１を用いて後述する制御を行う。必要無線リソース情報保持部２２は、ｎ回目のアプリケーション実行時の無線通信が終了した際に、実際の無線通信の使用した無線リソースに関する情報を必要無線リソース情報ｉｎとして保持してもよい。
【００３４】
図２において、無線基地局１０の送信部１１は無線通信端末２０に無線基地局１０の空き無線リソース情報を送信する（ステップＳ１０２）。無線通信端末２０の受信部２１は空き無線リソース情報を受信する（ステップＳ１０３）。なお、例えば、空き無線リソース情報は、無線基地局１０配下の無線通信端末２０に報知する報知情報に含めて送信されてもよい。
【００３５】
なお、ステップＳ１０２及びＳ１０３の動作は、任意のタイミングで、複数回行われてもよい。また、その間隔は一定であってもよいし、ランダムであってもよい。
【００３６】
そして、無線通信端末２０は、ユーザの操作に応じてアプリケーションを起動する（ステップＳ１０４）。
【００３７】
アプリケーション起動後、制御部２３は、受信部２１が受信した空き無線リソース情報と、必要無線リソース情報保持部２２が保持した必要無線リソース情報に基づいて、アプリケーション実行時の無線通信を開始するか否か判定する（ステップＳ１０５）。
【００３８】
具体的には、制御部２３は、受信部２１と必要無線リソース情報保持部２２からそれぞれ空き無線リソース情報と、必要無線リソース情報を取得する。その後、制御部２３は、取得した空き無線リソース情報と、必要無線リソース情報に基づき、無線基地局１０の無線リソースに、アプリケーション実行時の無線通信に必要な無線リソース分だけの空きがあるか否か、判定を行う。
【００３９】
無線基地局１０の無線リソースに空きがある場合、制御部２３は無線基地局１０への無線通信を開始する。空きがない場合、制御部２３は無線基地局１０への無線通信は開始しない。なお、制御部２３は、アプリケーション実行時の無線通信を開始しない場合は、アプリケーションに対し、無線通信を開始しない旨を通知してもよいし、アプリケーションを終了するよう通知してもよい。
【００４０】
本実施形態にかかる無線通信システムは、アプリケーションを実行する際に、空き無線リソース情報と必要無線リソース情報とに基づいて、アプリケーション実行時の無線通信を開始するか否か判定する。該判定に基づいてアプリケーション実行時の無線通信を開始しない場合、無線通信端末は無線リソースを無線基地局に要求しないため、無線基地局の無線リソースの不足を回避できる。そのため、無線通信区間の輻輳を制御することができる。
【００４１】
以上のように、本発明によれば無線通信区間の輻輳の制御が可能な無線通信システムを提供することができる。
【００４２】
（第２の例示的な実施形態）
第２の例示的な実施形態による無線通信システムでは、第１の例示的な実施形態における制御部２３がアプリケーション実行時の無線通信を開始しないと判定した場合に、所定の時間経過後、再度判定を行う。
【００４３】
第２の例示的な実施形態による無線通信システムは図１に示した第１の例示的な実施形態のものと同様の構成である。
【００４４】
図３は、第２の例示的な実施形態による無線通信システムの動作の一例を示したシーケンスチャートである。以下、図３を参照しながら、無線基地局１０及び無線通信端末２０の動作を説明する。なお、図３にあるステップＳ２０１〜Ｓ２０５までの動作は、第１の例示的な実施形態の動作であるステップＳ１０１〜Ｓ１０５と同様なので、ここでは、省略する。
【００４５】
制御部２３のＳ２０５の動作により、アプリケーション実行時の無線通信を開始しないと判定した場合（ステップＳ２０６においてＮＯ）、制御部２３は該無線通信を開始しない状態で制御部２３の動作を所定の時間、停止する（ステップＳ２０７）。所定の時間経過後、制御部２３はステップＳ２０５、Ｓ２０６の動作を繰り返す。ここで、制御部２３は、内部にタイマーを有し、該タイマーによって所定の時間を計測してもよい。
【００４６】
制御部２３のＳ２０５の動作により、アプリケーション実行時の無線通信を開始すると判定した場合（ステップＳ２０６においてＹＥＳ）、制御部２３は無線基地局１０への該無線通信を開始する。
【００４７】
なお、本実施形態において、制御部２３は、アプリケーション実行時の無線通信を開始しないと判定した場合に、所定のタイミングで再度判定を行う態様にしてもよい。所定のタイミングとは、例えば、無線通信端末２０の受信部２１が無線基地局の空き無線リソース情報を受信するタイミングである。
【００４８】
本実施形態にかかる無線通信システムでは、制御部２３が該無線通信を開始しないと判定した場合、所定の時間経過後に再度判定が行われる。そのため、本実施形態における無線通信システムでは、アプリケーション実行時の無線通信を開始する機会が無線通信端末２０により早く与えられる。
【００４９】
（第３の例示的な実施形態）
ＯＴＴ事業者が提供するアプリケーションの大幅なアップデートに応じて、該アプリケーション実行時の無線通信に必要な無線リソースに関する情報に大きな変動が生じる可能性がある。
【００５０】
例えば、該アップデートに応じて、該アプリケーション実行時に用いるデータ通信に、より速い通信速度が求められるようになった場合、該通信速度を確保するために必要とする無線リソースが、該アップデート前に対して増加する。
【００５１】
そのため、該アプリケーションの管理又は配信を行うアプリケーションサーバが有する、アプリケーション実行時の無線通信に必要な無線リソースに関する最新の情報に基づいて、第１の例示的な実施形態における制御部による判定が行われることが望ましい。
【００５２】
そこで、第３の例示的な実施形態では、アプリケーションサーバ４０が送信した必要無線リソース情報を、必要無線リソース情報保持部２２が保持する。
【００５３】
図４は、第３の例示的な実施形態による無線通信システムの構成の一例を示した図である。同図において無線通信システムは、第１の例示的な実施形態における無線通信システムに対して、さらにネットワーク３０を介してアプリケーションサーバ４０と通信可能に接続されている。
ネットワーク３０は例えばインターネットであるが、これに限定されない。
【００５４】
また、第１の例示的な実施形態の無線基地局１０、無線通信端末２０に対し、図４の無線基地局１０は受信部１２及び通信部１３をさらに有し、無線通信端末２０は送信部２４をさらに有する。
【００５５】
無線基地局１０の送信部１１、受信部１２及び通信部１３は相互に通信可能に接続されている。無線通信端末２０の受信部２１、必要無線リソース情報保持部２２、制御部２３、送信部２４は、相互に通信可能に接続されている。
【００５６】
なお、図４に示した無線通信システムでは、無線基地局１０とネットワーク３０とが直接接続されている。無線基地局１０は、一般的な無線通信システムと同様にコアネットワーク及びパケットゲートウェイノードを経由してネットワーク３０と接続されてもよい。
【００５７】
また、図４は、無線基地局１０及び無線通信端末２０に含まれる機能ブロックのうち、特に本実施形態に関連する構成要素を示している。すなわち、無線基地局１０は、無線基地局１０を無線基地局として機能させるための機能ブロック（不図示）を含んでいる。同様に、無線通信端末２０は、無線通信端末２０を無線通信端末として機能させるための機能ブロック（不図示）を含んでいる。
【００５８】
制御部２３は、制御部２３の判定によりアプリケーション実行時の無線通信を開始した場合に、リクエストメッセージを無線基地局１０へ送信するよう送信部２４に指示する。送信部２４は、リクエストメッセージを無線基地局１０へ送信する。ここで、リクエストメッセージとは、アプリケーションサーバ４０が無線通信端末２０へ必要無線リソース情報を送信するよう要求する旨のメッセージである。
【００５９】
無線基地局１０の受信部１２は、無線通信端末２０からリクエストメッセージを受信する。通信部１３は、ネットワーク３０を介して、アプリケーションサーバ４０とリクエストメッセージや必要無線リソース情報を送受信する。送信部１１は、必要無線リソース情報を無線通信端末２０へ送信する。
【００６０】
無線通信端末２０の受信部２１は、必要無線リソース情報を無線基地局１０から受信し、当該必要無線リソース情報を必要無線リソース情報保持部２２へ通知する。必要無線リソース情報保持部２２は、受信部２１から通知された必要無線リソース情報を新たな必要無線リソース情報として保持する。
【００６１】
アプリケーションサーバ４０は、リクエストメッセージを受信し、該メッセージに応じた必要無線リソース情報を、ネットワーク３０を介して無線基地局１０へ送信する。なお、本実施形態において、アプリケーションサーバ４０は、該アプリケーションの配信、または、該アプリケーション実行時の無線通信に必要な無線リソースに関する情報を含むアプリケーションに関する情報の管理を行う。アプリケーションサーバ４０は、任意のタイミングで必要無線リソース情報を更新する。
【００６２】
図５は、第３の例示的な実施形態による無線通信システム及びアプリケーションサーバ４０の動作の一部である。また図５は、制御部２３がアプリケーション実行時の無線通信を開始すると判定した場合の動作の一例を示したシーケンス図である。図５では、アプリケーション実行時の無線通信を開始すると判定するまでの動作は、第１、第２の例示的な実施形態による無線通信システムの動作と同様であるため、図示されていない。
【００６３】
以下、図５を参照しながら、無線基地局１０、無線通信端末２０、アプリケーションサーバ４０の動作が示される。
【００６４】
無線通信端末２０の制御部２３は、アプリケーション実行時の無線通信を開始すると判定した場合に、送信部２４にリクエストメッセージを無線基地局１０へ送信するよう指示する。送信部２４は、リクエストメッセージを無線基地局１０へ送信する（ステップＳ３０１）。
【００６５】
無線基地局１０の受信部１２は、リクエストメッセージを受信し、通信部１３へ該メッセージを通知する。通信部１３は、ネットワーク３０を介してアプリケーションサーバ４０へ、リクエストメッセージを送信する（ステップＳ３０２）。
【００６６】
アプリケーションサーバ４０は、リクエストメッセージを受信し、該メッセージに応じた必要無線リソース情報を、ネットワーク３０を介して無線基地局１０へ送信する（ステップＳ３０３）。
【００６７】
無線基地局１０の通信部１３は、必要無線リソース情報を受信し、送信部１１へ通知する。送信部１１は必要無線リソース情報を無線通信端末２０へ送信する（ステップＳ３０４）。
【００６８】
無線通信端末２０の受信部２１は、必要無線リソース情報を必要無線リソース情報保持部２２に通知する。必要無線リソース情報保持部２２は、通知された必要無線リソース情報を新たな必要無線リソース情報として保持する（ステップＳ３０５）。
【００６９】
そして、無線通信端末２０は、新たにアプリケーションを実行する際に、ステップＳ３０５で新たに保持した必要無線リソース情報に基づいて、制御部２３による判定を行う（ステップＳ３０６）。
【００７０】
なお、制御部２３がアプリケーション実行時の無線通信を開始すると判定した場合に、アプリケーション実行時の無線通信の開始をトリガーとして、アプリケーションサーバ４０が無線通信端末２０へ必要無線リソース情報を送信し、無線通信端末２０が該必要無線リソース情報を受信し、保持してもよい。
【００７１】
本実施形態にかかる無線通信システムでは、無線通信端末の制御により通信が開始された場合に、アプリケーションサーバから送信された必要無線リソース情報を必要無線リソース情報保持部２２が新たな必要無線リソース情報として保持する。そのため、より正確且つ最新の必要無線リソース情報を無線通信端末が把握できる。その結果、より精度の高い無線通信区間の輻輳制御が行われることができる。
【００７２】
（第４の例示的な実施形態）
第４の例示的な実施形態による無線通信システムにおいて、無線通信端末５０は、無線基地局１０との無線リンク確立後に、空き無線リソース情報及び必要無線リソース情報を受信し、無線通信を継続するか否かの制御を行う。
【００７３】
図６は、第４の例示的な実施形態による無線通信システムの一例を示した図である。同図において無線通信システムは、第３の例示的な実施形態における無線通信システム（図４）と基本的には同じだが、図４における無線通信端末２０の代わりに、無線通信端末５０を有する。なお、第３の例示的な実施形態と同様に、無線基地局１０は、無線通信端末５０と無線通信をすることが可能である。
【００７４】
無線通信端末５０は、送信部５１、受信部５２、制御部５３を有する。送信部５１、受信部５２、制御部５３は相互に通信可能に接続されている。
【００７５】
また、図６は、図４と同様に、無線基地局１０及び無線通信端末５０に含まれる機能ブロックのうち、特に本実施形態に関連する構成要素を示している。すなわち、無線基地局１０は、無線基地局１０を無線基地局として機能させるための機能ブロック（不図示）を含んでいる。同様に、無線通信端末５０は、無線通信端末５０を無線通信端末として機能させるための機能ブロック（不図示）を含んでいる。
【００７６】
無線通信端末５０の送信部５１は、少なくとも１つのリクエストメッセージを無線基地局１０へ送信する。ここで、リクエストメッセージは、無線基地局１０から無線通信端末５０へ空き無線リソース情報の送信を要求する旨のメッセージや、アプリケーションサーバ４０から無線通信端末５０へ必要無線リソース情報の送信を要求する旨のメッセージである。
【００７７】
受信部５２は、無線基地局１０から空き無線リソース情報と必要無線リソース情報を受信する。制御部５３は、空き無線リソース情報と必要無線リソース情報とに基づいて、アプリケーション実行時の無線通信を継続するか否かを判定する。
【００７８】
図７は、第４の例示的な実施形態による無線通信システムの動作の一例を示したシーケンスチャートである。なお、図７において、無線通信端末５０の動作のいくつかは、無線通信端末にインストールされたアプリケーションによって動作可能である。以下、図７を参照しながら、無線基地局１０、無線通信端末５０、アプリケーションサーバ４０の動作を説明する。
【００７９】
無線通信端末５０は、ユーザの操作に応じてアプリケーションを起動する（ステップＳ４０１）。また、無線通信端末５０は、無線基地局１０、ネットワーク３０、アプリケーションサーバ４０との間の通信リンク確立のための所定の動作を行う。ここで、所定の動作とは、例えば、ランダムアクセス要求、チャネル割り当て要求、呼接続要求等である。
【００８０】
アプリケーションの指示により、送信部５１は、リクエストメッセージを無線基地局１０へ送信する（ステップＳ４０２）。
【００８１】
無線基地局１０の受信部１２は、無線通信端末５０からリクエストメッセージを受信する。送信部１１は、該メッセージに応じて無線基地局１０の空き無線リソース情報を無線通信端末５０へ送信する（ステップＳ４０３）。
【００８２】
無線通信端末５０の受信部５２は、空き無線リソース情報を無線基地局１０から受信する（ステップＳ４０４）。
【００８３】
また、無線基地局１０の受信部１２は、無線通信端末５０から受信したリクエストメッセージを通信部１３へ通知し、通信部１３は、ネットワーク３０を介してアプリケーションサーバ４０へ、該メッセージを送信する（ステップＳ４０５）。
【００８４】
アプリケーションサーバ４０は、通信部１３からリクエストメッセージを受信し、該メッセージに応じて必要無線リソース情報を、ネットワーク３０を介して無線基地局１０へ送信する（ステップＳ４０６）。
【００８５】
無線基地局１０の通信部１３は、アプリケーションサーバから必要無線リソース情報を受信し、該必要無線リソース情報を送信部１１へ通知する。送信部１１は、通知された必要無線リソース情報を無線通信端末５０へ送信する（ステップＳ４０７）。
【００８６】
無線通信端末５０の受信部５２は、必要無線リソース情報を無線基地局１０から受信する（ステップＳ４０８）。
【００８７】
なお、本実施形態において、無線基地局１０による空き無線リソース情報と必要無線リソース情報の送信のタイミングは、どちらが先でもよく、同時でもよい。
【００８８】
そして、受信部５２は、受信した空き無線リソース情報と必要無線リソース情報を制御部５３へ通知する。制御部５３は、取得した空き無線リソース情報と、必要無線リソース情報に基づき、無線基地局１０の無線リソースに、アプリケーション実行時の無線通信に必要な無線リソース分だけの空きがあるか否か、判定を行う（ステップＳ４０９）。
【００８９】
無線基地局１０の無線リソースに空きがある場合は（ステップＳ４１０においてＹＥＳ）、無線基地局１０への無線通信を継続し（ステップＳ４１１）、空きがない場合は（ステップＳ４１０においてＮＯ）、無線基地局１０への無線通信を停止する。
【００９０】
なお、無線基地局１０の空き無線リソースに空きがない場合は（ステップＳ４１０においてＮＯ）、アプリケーションに無線通信を停止する旨を通知してもよいし、アプリケーションを終了するよう通知してもよい。また、所定の時間経過後、又は所定のタイミングで再度ステップＳ４０２〜Ｓ４１０の動作が行われてもよい。
【００９１】
本実施形態にかかる無線通信システムでは、無線基地局と無線通信端末との間の無線リンク確立後に、無線通信端末が空き無線リソース情報と必要無線リソース情報を要求し、該情報に基づいて判定を行う。そのため、無線通信システムにおいて、新たなシーケンスを定義する必要がなく、容易に既存のシステムへ適用することできる。
【００９２】
（例示的な実施形態の変形例）
本発明を実施するにあたっては、種々の変形例が考えられ、上記の例示的な実施形態に限られるものではない。
【００９３】
第１、第２の例示的な実施形態の無線通信システムにおいて、無線通信端末２０は少なくとも１つ以上の必要無線リソース情報を格納するテーブルをさらに有してもよい。
【００９４】
その場合、無線通信端末２０は、アプリケーション実行時の無線通信が終了した際に、当該アプリケーションによる無線通信に実際に使用した無線リソースに関する情報を該テーブルに格納する。そして、格納された少なくとも１つ以上の実際に使用した無線リソースに関する情報に基づいて決定した値を、必要無線リソース情報として、必要無線リソース情報保持部２２が保持してもよい。
【００９５】
決定方法の一例は、例えば過去１０回のアプリケーション実行時の無線通信に使用した無線リソース量の平均を算出する方法である。
【００９６】
少なくとも１つ以上の実際に使用した無線リソースに関する情報を用いて必要無線リソース情報が推測されるため、より細やかな輻輳制御が可能となる。
【００９７】
なお、上述した実施形態の対象となる無線通信システムは、３ＧＰＰ  ＬＴＥ（Ｌｏｎｇ  Ｔｅｒｍ  Ｅｖｏｌｕｔｉｏｎ）、３ＧＰＰ  Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）等に適用可能であるが、これらに限定されない。
【００９８】
また、上記の無線通信システム及び無線通信端末は、ハードウェア、ソフトウェア又はこれらの組み合わせにより実現することができる。また、上記の無線通信システムの制御方法も、ハードウェア、ソフトウェア又はこれらの組み合わせにより実現することができる。ここで、ソフトウェアによって実現されるとは、コンピュータがプログラムを読み込んで実行することにより実現されることを意味する。
【００９９】
プログラムは、様々なタイプの非一時的なコンピュータ可読媒体（ｎｏｎ−ｔｒａｎｓｉｔｏｒｙ  ｃｏｍｐｕｔｅｒ  ｒｅａｄａｂｌｅ  ｍｅｄｉｕｍ）を用いて格納され、コンピュータに供給することができる。非一時的なコンピュータ可読媒体は、様々なタイプの実体のある記録媒体（ｔａｎｇｉｂｌｅ  ｓｔｏｒａｇｅ  ｍｅｄｉｕｍ）を含む。
非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Ｃｏｍｐａｃｔ  Ｄｉｓｃ  −  Ｒｅａｄ  Ｏｎｌｙ  Ｍｅｍｏｒｙ）、ＣＤ−Ｒ（Ｃｏｍｐａｃｔ  Ｄｉｓｃ  −  Ｒｅｃｏｒｄａｂｌｅ）、ＣＤ−Ｒ／Ｗ（Ｃｏｍｐａｃｔ  Ｄｉｓｃ  −  Ｒｅｗｒｉｔａｂｌｅ）、ＤＶＤ−ＲＯＭ（Ｄｉｇｉｔａｌ  Ｖｅｒｓａｔｉｌｅ  Ｄｉｓｃ−ＲＯＭ）、ＤＶＤ−Ｒ（Ｄｉｇｉｔａｌ  Ｖｅｒｓａｔｉｌｅ  Ｄｉｓｃ  −  Ｒｅｃｏｒｄａｂｌｅ）、ＤＶＤ−Ｒ／Ｗ（Ｄｉｇｉｔａｌ  Ｖｅｒｓａｔｉｌｅ  Ｄｉｓｃ  −  Ｒｅｗｒｉｔａｂｌｅ）、半導体メモリ（例えば、マスクＲＯＭ、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、フラッシュＲＯＭ、ＲＡＭ（Ｒａｎｄｏｍ Ａｃｃｅｓｓ Ｍｅｍｏｒｙ）)を含む。
また、プログラムは、様々なタイプの一時的なコンピュータ可読媒体（ｔｒａｎｓｉｔｏｒｙ  ｃｏｍｐｕｔｅｒ  ｒｅａｄａｂｌｅ  ｍｅｄｉｕｍ）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１００】
また、上述した各実施の形態は、適宜組み合わせて実施されることが可能である。また、本発明は、上述した各実施の形態に限定されず、様々な態様で実施されることが可能である。
【０１０１】
なお、上記の例示的な実施形態の一部または全部は、以下の付記のようにも記載されうるが、以下には限られない。
（付記１）
無線通信端末と、前記無線通信端末と無線通信を行う無線基地局とを有する無線通信システムであって、
前記無線基地局は、
前記無線基地局の空き無線リソースに関する情報である空き無線リソース情報を前記無線通信端末へ送信する送信手段を有し、
前記無線通信端末は、
前記空き無線リソース情報を前記無線基地局から受信する受信手段と、
前記無線通信端末のアプリケーション実行時の無線通信に必要となる無線リソースに関する情報である必要無線リソース情報を保持する保持手段と、
前記アプリケーションを実行する際に、前記空き無線リソース情報と前記必要無線リソース情報とに基づいて、前記アプリケーション実行時の無線通信を開始するか否かを判定する制御手段とを有する、
ことを特徴とする無線通信システム。
（付記２）
前記送信手段は、前記空き無線リソース情報を前記無線基地局配下の前記無線通信端末に報知する付記１記載の無線通信システム。
（付記３）
前記保持手段は、前記アプリケーションによる過去の無線通信で使用した無線リソースに関する情報に基づいて前記必要無線リソース情報を決定して保持する付記１又は２のいずれかに記載の無線通信システム。
（付記４）
前記制御手段は、前記アプリケーション実行時の無線通信を開始しないと判定した場合に、所定の時間経過後に前記アプリケーション実行時の無線通信を開始するか否かを再度判定する付記１から３のいずれか一項に記載の無線通信システム。
（付記５）
前記制御手段は、前記アプリケーション実行時の無線通信を開始しないと判定した場合に、前記受信手段による前記空き無線リソース情報の受信後に前記アプリケーション実行時の無線通信を開始するか否かを再度判定する付記１から３のいずれか一項に記載の無線通信システム。
（付記６）
前記無線通信システムは、ネットワークを介してアプリケーションサーバと接続され、  前記保持手段は、前記アプリケーションサーバから送信される前記必要無線リソース情報を保持する付記１から３のいずれか一項に記載の無線通信システム。
（付記７）
無線基地局と無線通信を行う無線通信端末であって、
前記無線基地局の空き無線リソースに関する情報である空き無線リソース情報を前記無線基地局から受信する受信手段と、
前記無線通信端末のアプリケーション実行時の無線通信に必要となる無線リソースに関する情報である必要無線リソース情報を保持する保持手段と、
前記アプリケーションを実行する際に、前記空き無線リソース情報と前記必要無線リソース情報とに基づいて、前記アプリケーション実行時の無線通信を開始するか否かを判定する制御手段とを有する、
無線通信端末。
（付記８）
前記保持手段は、前記アプリケーションによる過去の無線通信で使用した無線リソースに関する情報に基づいて前記必要無線リソース情報を決定して保持する付記７に記載の無線通信端末。
（付記９）
前記制御手段は、前記アプリケーション実行時の無線通信を開始しないと判定した場合に、所定の時間経過後に前記アプリケーション実行時の無線通信を開始するか否かを再度判定する付記７又は８のいずれかに記載の無線通信端末。
（付記１０）
無線通信端末と、前記無線通信端末と無線通信を行う無線基地局とを有する無線通信システムにおける制御方法であって、
前記無線基地局の空き無線リソースに関する情報である空き無線リソース情報を受信する受信ステップと、
前記無線通信端末のアプリケーション実行時の無線通信に必要となる無線リソースに関する情報である必要無線リソース情報を保持する保持ステップと、
前記アプリケーションを実行する際に、前記空き無線リソース情報と前記必要無線リソース情報とに基づいて、前記アプリケーション実行時の無線通信を開始するか否かを判定する制御ステップとを有する、
ことを特徴とする無線通信システムの制御方法。
（付記１１）
前記受信ステップは、前記無線基地局配下の前記無線通信端末に報知された前記空き無線リソース情報を受信する付記１０記載の無線通信システムの制御方法。
（付記１２）
前記保持ステップは、前記アプリケーションによる過去の無線通信で使用した無線リソースに関する情報に基づいて前記必要無線リソース情報を決定して保持する付記１０又は１１のいずれかに記載の無線通信システムの制御方法。
（付記１３）
前記制御ステップは、前記アプリケーション実行時の無線通信を開始しないと判定した場合に、所定の時間経過後に前記アプリケーション実行時の無線通信を開始するか否かを再度判定する付記１０から１２のいずれか一項に記載の無線通信システムの制御方法。
（付記１４）
前記制御ステップは、前記アプリケーション実行時の無線通信を開始しないと判定した場合に、前記受信ステップによる前記空き無線リソース情報の受信後に前記アプリケーション実行時の無線通信を開始するか否かを再度判定する付記１０から１２のいずれか一項に記載の無線通信システムの制御方法。
（付記１５）
前記無線通信システムは、ネットワークを介してアプリケーションサーバと接続され、  前記保持ステップは、前記アプリケーションサーバから送信される前記必要無線リソース情報を保持する付記１０から１２のいずれか一項に記載の無線通信システムの制御方法。
（付記１６）
無線基地局と無線通信を行う無線通信端末の制御方法であって、
前記無線基地局の空き無線リソースに関する情報である空き無線リソース情報を受信する受信ステップと、
前記無線通信端末のアプリケーション実行時の無線通信に必要となる無線リソースに関する情報である必要無線リソース情報を保持する保持ステップと、
前記アプリケーションを実行する際に、前記空き無線リソース情報と前記必要無線リソース情報とに基づいて、前記アプリケーション実行時の無線通信を開始するか否かを判定する制御ステップとを有する、
無線通信端末の制御方法。
（付記１７）
前記保持ステップは、前記アプリケーションによる過去の無線通信で使用した無線リソースに関する情報に基づいて前記必要無線リソース情報を決定して保持する付記１６に記載の無線通信端末の制御方法。
（付記１８）
前記制御ステップは、前記アプリケーション実行時の無線通信を開始しないと判定した場合に、所定の時間経過後に前記アプリケーション実行時の無線通信を開始するか否かを再度判定する付記１６又は１７のいずれかに記載の無線通信端末の制御方法。
（付記１９）
無線通信端末と、前記無線通信端末と無線通信を行う無線基地局とを有する無線通信システムにおける制御方法をコンピュータに実行させるためのプログラムであって、
前記無線基地局の空き無線リソースに関する情報である空き無線リソース情報を受信する受信ステップと、
前記無線通信端末のアプリケーション実行時の無線通信に必要となる無線リソースに関する情報である必要無線リソース情報を保持する保持ステップと、
前記アプリケーションを実行する際に、前記空き無線リソース情報と前記必要無線リソース情報とに基づいて、前記アプリケーション実行時の無線通信を開始するか否かを判定する制御ステップと
をコンピュータに実行させるためのプログラム。
（付記２０）
無線基地局と無線通信を行う無線通信端末の制御方法をコンピュータに実行させるためのプログラムであって、
前記無線基地局の空き無線リソースに関する情報である空き無線リソース情報を受信する受信ステップと、
前記無線通信端末のアプリケーション実行時の無線通信に必要となる無線リソースに関する情報である必要無線リソース情報を保持する保持ステップと、
前記アプリケーションを実行する際に、前記空き無線リソース情報と前記必要無線リソース情報とに基づいて、前記アプリケーション実行時の無線通信を開始するか否かを判定する制御ステップと
をコンピュータに実行させるためのプログラム。
（付記２１）
無線通信端末と、前記無線通信端末と無線通信を行う無線基地局とを有し、ネットワークを介してアプリケーションサーバに接続される無線通信システムであって、
前記無線通信端末は、
前記無線基地局の空き無線リソースに関する情報である空き無線リソース情報と、アプリケーション実行時の無線通信に必要な無線リソースに関する情報である必要無線リソース情報の送信要求を送信する送信手段と、
前記送信要求に応じて前記無線基地局から送信された前記空き無線リソース情報、及び、前記アプリケーションサーバから送信された前記必要無線リソース情報を受信する受信手段と、
前記アプリケーションを実行する際に、受信した前記空き無線リソース情報と前記必要無線リソース情報とに基づいて、前記アプリケーション実行時の無線通信を停止するか否かを判定する制御手段とを有する、
ことを特徴とする無線通信システム。
（付記２２）
前記制御手段は、前記アプリケーション実行時の無線通信を停止すると判定した場合に、所定の時間経過後に前記アプリケーション実行時の無線通信を停止するか否かを再度判定する付記２１に記載の無線通信システム。
この出願は、２０１３年９月２７日に出願された日本出願特願２０１３−２０１９９２を基礎とする優先権を主張し、その開示の全てをここに取り込む。
【符号の説明】
【０１０２】
１０    無線基地局
１１    送信部
１２    受信部
１３    通信部
２０、５０    無線通信端末
２１、５２    受信部
２２    必要無線リソース情報保持部
２３、５３    制御部
２４、５１    送信部
３０    ネットワーク
４０    アプリケーションサーバ
【図１】
2015045304.tif 000003
【図２】
2015045304.tif 000004
【図３】
2015045304.tif 000005
【図４】
2015045304.tif 000006
【図５】
2015045304.tif 000007
【図６】
2015045304.tif 000008
【図７】
2015045304.tif 000009
【手続補正書】
【提出日】平成28年3月17日(2016.3.17)
【手続補正２】
【補正対象書類名】特許請求の範囲
【補正対象項目名】請求項９
【補正方法】変更
【補正の内容】
【請求項９】
無線通信端末と、前記無線通信端末と無線通信を行う無線基地局とを有する無線通信システムにおける制御方法をコンピュータに実行させるためのプログラムであって、
前記無線基地局の空き無線リソースに関する情報である空き無線リソース情報を受信するプロセスと、
前記無線通信端末のアプリケーション実行時の無線通信に必要となる無線リソースに関する情報である必要無線リソース情報を保持するプロセスと、
前記アプリケーションを実行する際に、前記空き無線リソース情報と前記必要無線リソース情報とに基づいて、前記アプリケーション実行時の無線通信を開始するか否かを判定するプロセスと
をコンピュータに実行させるためのプログラム。
【国際調査報告】
2015045304.tif 000010
2015045304.tif 000011
2015045304.tif 000012
2015045304.tif 000013